(57)【要約】【課題】長い食事用ピックに複数の食物を突き刺した場合でも、この食物を安全かつ簡易に食べることができ、さらに食物を移動させるときに指などを汚すこともなく、食物の形を崩すことのない食事用ピックを提供する。【解決手段】ピック本体２と押出部材８を有し食物Ｆに差し込む食事用ピック１であって、前記押出部材８はピック本体２に摺動自在に設けられている食事用ピックである。【選択図】図１
2007312888.tif 000002
【特許請求の範囲】
【請求項１】
先端に突差部を備えたピック本体と押出部材を有し食物に差し込む食事用ピックであって、前記押出部材はピック本体に摺動自在に設けられていること特徴とする食事用ピック。
【請求項２】
ピック本体の基端側に押出部材の脱落を防止する頭部が設けられていることを特徴とする請求項１に記載の食事用ピック。
【請求項３】
突差部の側方に押出部材の脱落を防止する膨張部が設けられていることを特徴とする請求項１又は２に記載の食事用ピック。
【請求項４】
ピック本体の突差部の手前に押出部材の摺動を制限するストッパーが設けられていることを特徴とする請求項１〜３のいずれか１項に記載の食事用ピック。
【請求項５】
頭部が装飾部材からなることを特徴とする請求項１〜４のいずれか１項に記載の食事用ピック。
【請求項６】
押出部材が装飾部材からなることを特徴とする請求項１〜５のいずれか１項に記載の食事用ピック。
【請求項７】
ピック本体が先端側ほど細くなる形状であることを特徴とする請求項１〜６のいずれか１項に記載の食事用ピック。
【請求項８】
押出部材の形状が円弧状であることを特徴とする請求項１〜７のいずれか１項に記載の食事用ピック。
【発明の詳細な説明】
【技術分野】
【０００１】
本発明はおかずや果物等の食物に差し込むための食事用ピックに関し、更に詳しくは、例えば、串刺しにされた食物が食べやすく、かつ安全に食べることが出来る食事用ピックに関する。
【背景技術】
【０００２】
従来、この種の食事用ピックとしては、頭部と先端が尖った突差部とからなるプラスチック製のものが広く用いられている。この食事用ピックは、食物を突き刺して散らばりやすい食物をまとめ、食べやすくする機能を有する。
【０００３】
さらに最近ではメッセージ表示部を備えることにより、料理の作り手と食べ手のコミュニケーションを図り、もって食欲増進を図るメッセージピックも開発されている（特許文献１参照）。
【特許文献１】実用新案登録３１１４４７１号
【０００４】
しかし、一本の長い食事用ピックに多くの食物を突き刺すと、最初のひとつは食べやすいものの、２つ目以降は食事用ピックの奥のほうにあるため食べにくいという欠点があった。
【０００５】
ここで、食事用ピックの奥のほうに刺さっている食物を無理に食べようとすると、食事用ピックの先端がのどの奥に触れかねないという問題があった。また、食事用ピックに刺さった食物を指などで食事用ピックの先端側に移動させると指などが汚れてしまう点で好ましくない。さらに、食物を移動させる際にこの食物が変形するおそれがある。これは食事用ピックに刺された食物が、舌を楽しませるのみならず、目をも楽しませることを目的とする和菓子等である場合に特に不都合である。
【発明の開示】
【発明が解決しようとする課題】
【０００６】
本発明はかかる実情に鑑み、食事用ピックに複数の食物を突き刺した場合でも、この食物を安全かつ簡易に食べることが出来る食事用ピックを提供し、さらに食物を移動させるときに指などを汚すこともなく、食物の形を崩すことのない食事用ピックを提供することを目的とする。
【課題を解決するための手段】
【０００７】
上記課題を解決するための請求項１に係る本発明は、先端に突差部を備えたピック本体と押出部材を有し食物に差し込む食事用ピックであって、前記押出部材はピック本体に摺動自在に設けられていること特徴とする食事用ピックを内容とする。
【０００８】
請求項２に係る発明は、ピック本体の基端側に押出部材の脱落を防止する頭部が設けられていることを特徴とする請求項１に記載の食事用ピックを内容とする。
【０００９】
請求項３に係る発明は、突差部の側方に押出部材の脱落を防止する膨張部が設けられていることを特徴とする請求項１又は２に記載の食事用ピックを内容とする。
【００１０】
請求項４に係る発明は、ピック本体の突差部の手前に押出部材の摺動を制限するストッパーが設けられていることを特徴とする請求項１〜３のいずれか１項に記載の食事用ピックを内容とする。
【００１１】
請求項５に係る発明は、頭部が装飾部材からなることを特徴とする請求項１〜４のいずれか１項に記載の食事用ピックを内容とする。
【００１２】
請求項６に係る発明は、押出部材が装飾部材からなることを特徴とする請求項１〜５のいずれか１項に記載の食事用ピックを内容とする。
【００１３】
請求項７に係る発明は、ピック本体が先端側ほど細くなる形状であることを特徴とする請求項１〜６のいずれか１項に記載の食事用ピックを内容とする。
【００１４】
請求項８に係る発明は、押出部材の形状が円弧状であることを特徴とする請求項１〜７のいずれか１項に記載の食事用ピックを内容とする。
【００１５】
なお、本発明において食事用ピックとは、食物を突き刺すための先のとがった棒を意味する。すなわち、食物を飾り、あるいは散らばりやすい食物をまとめるために使用するもののみならず、串団子の串やバーベキュー用の金串などをも含む。
【発明の効果】
【００１６】
本発明の食事用ピックは、ピック本体の上で摺動自在である押出部材を有するため、食事用ピックの奥のほうに刺さっている食物でもピック本体の差込端部に押し出すことができ、食べやすいという利点がある。さらに食物を押し出す際に指で触れる必要がなく、指が汚れないという利点がある。
【００１７】
請求項２に係る発明の食事用ピックは、ピック本体の基端に頭部が設けられているため、使用中に押出部材がピック本体の基端側から外れてしまうというトラブルが防止されるとともに、指で把持し易くなるという利点がある。
【００１８】
請求項３に係る発明の食事用ピックは、突差部の側方に膨張部が設けられていることため、食物を押し出す際に押出部材が膨張部に引っかかり、力余ってピック本体の先端側から押出部材が外れてしまうというトラブルが防止される利点がある。
【００１９】
請求項４に係る発明の食事用ピックは、先端側に押出部材の先端側への摺動を制限するストッパーが設けられているため、食物を押し出す際に押出部材がストッパーに引っかかり、力余ってピック本体から食物及び押出部材が外れてしまうというトラブルが防止される利点がある。
【００２０】
請求項５に係る発明の食事用ピックは、頭部が装飾部材からなるため、この装飾部材が食べ手の注意を引き、引いては食べ手の食欲を増進させる利点がある。
【００２１】
請求項６に係る発明の食事用ピックは、押出部材が装飾部材からなるため、この装飾部材が食べ手の注意を引き、引いては食べ手の食欲を増進させる利点がある。
【００２２】
請求項７に係る発明の食事用ピックは、ピック本体が先端側ほど細くなる形状であるため、食物の一部がピック本体に付着したとしても押出部材がこの付着物に引っかかることがなく、スムースに食物を押し出すことが出来る利点がある。この発明は餅など粘着性を有する食物に対して使用するとき、特に有効である。
【００２３】
請求項８に係る発明の食事用ピックは、押出部材の形状が円弧状であるので、食物を押し出す際にこの食物の形を崩さず、美しいままの形でこれを食べることができる利点がある。この発明は例えば餡をこねて美しい形に造形した和菓子のような食物に対して使用するとき、特に有効である。
【発明を実施するための最良の形態】
【００２４】
次に、本発明の食事用ピックを図面に基づいて説明する。
なお、図１は本発明の実施例１を表す概略図、図２はその使用方法を表す説明図である。図３は実施例２を表す概略図、図４はその使用方法を表す説明図である。図５は実施例３を表す概略図、図６はその結合部を表す断面図である。図７は実施例４を表す概略図、図８はその断面図である。図９は実施例５を表す概略図、図１０はその断面図である。図１１は実施例６を表す概略図、図１２はその断面図である。図１３は実施例７を表す概略図、図１４はその使用方法を示す断面図である。図１５は実施例８を表す概略図、図１６はその使用方法を表す断面図である。図１７は本発明の使用状態を表す概略図である。
また、図中、１は本発明の食事用ピックを、２はピック本体を、２ａは先端側を、２ｂは基端側を、３は突差部を、４は頭部を、５は膨張部を、６はストッパーを、７は手持ち部材を、８は押出部材を、９は係合部を、F は食物をそれぞれ表す。
【００２５】
本発明の食事用ピック１は、ピック本体２と押出部材８を有するものであり、図１７に示すとおり食物F に差し込んでこれを食べやすくするためのものである。図１に記載された矢印が示すとおり、前記押出部材８はピック本体２の上で摺動自在であるように設けられている。この食事用ピック１は、図２に示すとおり、指などで押出部材８を持ち、この押出部材８で食物F をピック本体２の先端側２ａから押し出すようにして使用する。本発明の食事用ピックを使用すると、食物F を口に入れる際、ピック本体２が必要以上に口腔内に入り込むことがないため、食べやすくかつ安全に食事をすることが出来る。また押出作業時、食物に直接触れることもなく、指などが汚れることもない。
【００２６】
本発明におけるピック本体２及び押出部材８の素材は、プラスチック、金属、木、竹、等安全なものであれば特に制限されない。なお、食物の装飾や食物を食べやすくすることを主たる機能とする食事用ピックにあっては、造形性（成形性）、着色性、コスト等の面からプラスチックが好ましく、これに加え調理時にも用いる食事用ピックにあっては、その耐久性の面から金属製や竹製のものが好ましい。
【００２７】
本発明に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。
また本発明に用いられる金属としては特に制限されないが、鉄、銅、アルミ、ステンレス等が挙げられる。
【００２８】
本発明における食事用ピック１は食物F に差し込むものであり、ピック本体２の先端側２ａに突差部を有する棒状構造体である。その長さは特に限定されず、使用目的に合わせて適宜選択すればよいが、例えば食物の装飾を主目的とする場合は２０〜３０ｍｍ程度、食物F を連ねて突き刺し食べやすくすることを目的とする場合は１００〜２００ｍｍ程度、調理時にも用いることを目的とする場合は２５０〜３５０ｍｍ程度が望ましい。尚、突差部は余り尖らせると危険なので、食物F を突き刺せる程度とするのが良い。
【００２９】
ピック本体２の基端側２ｂには頭部４を設けるのが好ましい。押出部材８がピック本体２から外れるのを防ぐためである。頭部４の形状としてはいかなる形状であっても使用でき、具体的には球形が例示できるが（図１、図３等参照）、装飾部材をそのまま頭部として使用することもできる（図５、図１３、図１５参照）。ここで装飾部材を頭部として使用した場合、この食事用ピック１は食べ手の注意を引き、心を和ませ、引いては食欲増進を図ることが出来る。
【００３０】
突差部３の側方には膨張部５を設けることができる（図１等参照）。これによると、食物F はこの膨張部５に引っかかるので、ピック本体２から自然に抜け落ちるのを防ぐことができる。さらに、押出部材８がピック本体２から脱落するのを防ぐことができる。
【００３１】
ピック本体２の基端側２ｂには手持ち部材７を設けることが出来る（図１１、図１２参照）。これによると一方の手で手持ち部材７を持ち、他方の手で押出部材８を摺動させることにより、容易に食物F をピック本体２から押し出すことが出来る。
【００３２】
本発明における食事用ピック１には突差部３の手前に押出部材８の摺動を制限するストッパー６が設けられていてもよい。このストッパー６が設けられている場合、図３に示すとおり、押出部材８はストッパー６によりその先端側２ａへの摺動が妨げられる。これにより、押出作業の際に押出部材８はストッパー６の位置で止まるため、食物F が勢いあまって完全に抜け落ちてしまうようなことはなく、ピック本体２の先端側２ａに残ることになる（図４参照）。
【００３３】
本発明における食事用ピック１は、図９に示すとおり、ピック本体２をその先端側２ａほど細くなる形状にすることもできる。このような形状にした場合、食物F の一部がピック本体２に付着したような場合であっても、この付着物により押出部材８の摺動が妨げられることもなく、好適な押出作業ができる。この構造を採用する場合、ピック本体２はその先端側２ａが実質的に細くなる形状であれば充分であり、例えばピック本体２の一部にストッパー６や膨張部５が設けられていてもよい。
【００３４】
本発明における押出部材８は食物F を押し出すためのものであり、その形状は特に限定されない。例えば図１、図３、図９に示されるような単なる円盤でもいいし、図５、図７、図１１に示されるように、装飾部材をそのまま押出部材８として用いてもよい。特に、ミートボールやウズラ卵等、型崩れがしにくい食物F に対して使用することが見込まれる食事用ピック１についてはいかなる形状の押出部材８であっても採用できる。
ただし、和菓子、特に目を楽しませるため美しい形に造形したもの、などに対する使用が見込まれる場合は、その形を崩さないため、押出部材８は円弧状にするのが好ましい。円弧状の押出部材８としては深皿型又はパラソル型、マッシュルーム型（図１３、図１４参照）や平皿型（図１５、図１６参照）が例示でき、開口側が食物Ｆ側に向くように配するのが好ましい。さらに、壊れやすい食物F に対して使用する場合はその食物F の表面形状をかたどった押出部材８を使用するとよい。
【００３５】
本発明において、押出部材８は摺動自在とされるが、そのための構造は特に限定されない。これを例示すると、押出部材８に貫通孔をあけて、ここにピック本体２を挿通する構造が例示できる（図８、図１０、図１２等参照）。さらには押出部材８の一部に開口部を狭くした溝を設け、ここにピック本体２を圧入して、これをピック本体２と押出部材８の係合部９とする構造も例示できる（図５、図６参照）。その他、押出部材８がピック本体２の上で摺動自在であるように設けられている限りいかなる構造でも採用できる。
【実施例】
【００３６】
以下、本発明を実施例に基づいて更に詳細に説明するが、本発明はこれらにより何ら制限されないことは云うまでもない。
【００３７】
実施例１
この実施例１の食事用ピック１は、図１に示すように、ピック本体２と押出部材８からなり、押出部材８は図１内の矢印が示すとおり摺動自在である。また、突差部３の側部には膨張部５が、ピック本体２の基端には頭部４が、それぞれ設けられている。
【００３８】
実施例１の食事用ピック１において、図２に示すとおり、押出部材８は矢印の方向に摺動して、食物F をその先端側２ａから押し出す。このため口腔内にピック本体２の突差部を突っ込む必要がなくなり、口腔内を傷つける虞れがなくなるばかりでなく、食物F は食べやすくなる。
【００３９】
実施例２
実施例２の食事用ピック１は請求項１，２，３，４に係る発明についての実施例である。この実施例２の食事用ピック１は、図３に示すように、ピック本体２と押出部材８からなり、押出部材８は図３内の矢印が示すとおり摺動自在である。また、ピック本体２の先端側２ａにはストッパー６及び膨張部５が、基端側２ｂには頭部４が、それぞれ設けられている。
【００４０】
実施例２の食事用ピック１において、図４に示すとおり、押出部材８は矢印の方向に摺動して、食物F をその先端側２ａから押し出す。このとき押出部材８はストッパー６の位置までしか摺動せず、このため食物F は確実にピック本体２に残る。つまり食物F が勢いあまってピック本体から飛び出すことはないので、特に幼少児向けに適している。
【００４１】
実施例３
この実施例３の食事用ピック１は図５に示すとおり、ピック本体２と押出部材８からなり、押出部材８は図５内の矢印が示すとおり摺動自在である。また、突差部３の側部には膨張部５が、ピック本体２の基端には頭部４が、それぞれ設けられている。
【００４２】
実施例３において、頭部４及び押出部材８として装飾部材がそのまま使用されている。本発明の食事用ピック１を型崩れし難い食物F に対して使用する場合はこのような形状の押出部材８でも使用できる。また、これにより食べ手の注意を引いて心を和ませ、引いては食欲増進の一助になるという効果を有する。
【００４３】
実施例４
この実施例４の食事用ピック１は図７及び図８に示すとおり、ピック本体２と押出部材８からなり、押出部材８は図７内の矢印が示すとおり摺動自在である。また、ピック本体２の先端側２ａにはストッパー６及び膨張部５が、基端側２ｂには頭部４が、それぞれ設けられている。さらに、押出部材８として装飾部材がそのまま使用されている。
【００４４】
実施例５
この実施例５の食事用ピック１は、図９に示すように、ピック本体２と押出部材８からなり、押出部材８は図９内の矢印が示すとおり摺動自在である。また、ピック本体２は先端側２ａほど細くなる形状である。さらにピック本体２の先端側２ａには膨張部５が、基端側２ｂには頭部４が、それぞれ設けられている。なお、この実施例３ではピック本体２の太さが膨張部５の部分においてその前後より太くなっているが、ピック本体２の大部分において先端側２ａほど細い形状をしているので、実質的に先端側２ａほど細くなる形状をしているといえる。
【００４５】
実施例５の食事用ピック１において、図１０に示すとおり、押出部材８は矢印の方向に摺動して、食物F をその先端側２ａから押し出す。このとき押出部材８とピック本体２の間の隙間は、押出部材８が先端側２ａに移動するほど大きくなる。このため食物F が粘着性のある食品であり、その一部がピック本体２に付着したとしても、押出部材８はこの付着物を乗り越えて、スムースに摺動する。従って、この実施例５の食事用ピック１は餅のような粘着性のある食物F に対しても好適に使用できる。
【００４６】
実施例６
この実施例６の食事用ピック１は、図１１及び図１２に示すように、ピック本体２と押出部材８からなり、押出部材８は図９内の矢印が示すとおり摺動自在である。また、ピック本体２は実質的に先端側２ａほど細くなる形状である。さらにピック本体２の先端側２ａには膨張部５が、基端側２ｂには頭部４が、それぞれ設けられている。また、押出部材８として装飾部材がそのまま使用されている。
【００４７】
実施例６では基端側２ｂに手持ち部材７が設けられている。この変更例では、一方の手で手持ち部材７を持ち、他方の手で押出部材８を操作できるため力を込めやすく、粘着性の高い食物F を多数連ねてピック本体２に突き刺した場合でも、押出作業を好適に行うことが出来る。
【００４８】
実施例７
この実施例７の食事用ピック１は、図１３に示すように、ピック本体２と押出部材８からなり、押出部材８は図１３内の矢印が示すとおり摺動自在である。また、さらにピック本体２の先端側２ａには膨張部５が、基端側２ｂには頭部４が、それぞれ設けられている。なお、この実施例において押出部材８はパラソルの形に、頭部４は子熊の形に成形されている。
【００４９】
実施例７の食事用ピック１において、図１４に示すとおり、押出部材８は矢印の方向に摺動して、食物F をその先端側２ａから押し出す。ここで、図１３及び図１４に示されるとおり、押出部材８は深皿型に形成されているので、押出作業時に押出部材８と食物F の接触面積は大きくなり、荷重が均等にかかることになる。従って、食物の形が崩れにくくなる。つまりこの実施例４の食事用ピック１は美しい形に形成された食物F に対して好適に使用できる。
【００５０】
実施例８
この実施例８の食事用ピック１は、図１５及び図１６に示すように、ピック本体２と押出部材８からなり、押出部材８は図９内の矢印が示すとおり摺動自在である。また、ピック本体２は実質的に先端側２ａほど細くなる形状である。さらにピック本体２の先端側２ａには膨張部５が、基端側２ｂには頭部４が、それぞれ設けられている。なお、この変更例においては、押出部材８はマッシュルーム型（きのこの傘の形）に、ピック本体２はマッシュルームの柄の形に、頭部４はてんとう虫の形に、それぞれ成形されている。
【００５１】
この実施例８では、押出部材８のうち食物F と接する部分の形状が平面になるよう形成されているため、食物F がさいころ型などに成形されている場合、この形を崩さずに押出作業をすることが出来る。
【産業上の利用可能性】
【００５２】
上記したとおり、本発明の食事用ピックは、摺動自在の押出部材を設けることにより、この食事用ピックに刺さった食物を簡単かつ安全に食べることが出来るものであり、食器の分野で有用性の高いものである。
【図面の簡単な説明】
【００５３】
【図１】実施例１を表す概略図である。
【図２】実施例１の使用方法を表す説明図である。
【図３】実施例２を表す概略図である。
【図４】実施例２の使用方法を表す説明図である。
【図５】実施例３を表す概略図である。
【図６】実施例３における結合部を表す断面図である。
【図７】実施例４を表す概略図である。
【図８】実施例４の要部断面図である。
【図９】実施例５を表す概略図である。
【図１０】実施例５の断面図である。
【図１１】実施例６を表す概略図である。
【図１２】実施例６の断面図である。
【図１３】実施例７を表す概略図である。
【図１４】実施例７の使用方法を示す断面図である。
【図１５】実施例８を表す概略図である。
【図１６】実施例８の使用方法を表す断面図である。
【図１７】本発明の使用状態を表す概略図である。
【符号の説明】
【００５４】
１  食事用ピック
２  ピック本体
２ａ  先端側
２ｂ  基端側
３  突差部
４  頭部
５  膨張部
６  ストッパー
７  手持ち部材
８  押出部材
９  係合部
F   食物
【図１】
2007312888.tif 000003
【図２】
2007312888.tif 000004
【図３】
2007312888.tif 000005
【図４】
2007312888.tif 000006
【図５】
2007312888.tif 000007
【図６】
2007312888.tif 000008
【図７】
2007312888.tif 000009
【図８】
2007312888.tif 000010
【図９】
2007312888.tif 000011
【図１０】
2007312888.tif 000012
【図１１】
2007312888.tif 000013
【図１２】
2007312888.tif 000014
【図１３】
2007312888.tif 000015
【図１４】
2007312888.tif 000016
【図１５】
2007312888.tif 000017
【図１６】
2007312888.tif 000018
【図１７】
2007312888.tif 000019